(57)【要約】      （修正有）【課題】認知症の方や、愛玩動物の行方不明や迷子を防止するためのアクセサリー型録音再生装置を提供する。【解決手段】ケーシング１Ａには人や愛玩動物の連絡先の情報を録音し再生するための録音再生装置が内蔵されている。録音再生装置を内蔵するケーシング１Ａはアクセサリーの形状をしている。このアクセサリー型ケーシング１Ａに外部から操作可能に録音スイッチと再生スイッチを配設し、ケーシング１Ａに該ケーシング１Ａを人や動物に脱着可能に取り付けるための取り付け具を設けている。【選択図】図１
0003195377.tif 000002
【実用新案登録請求の範囲】
【請求項１】
人や愛玩動物の連絡先の情報を録音し再生するための録音再生装置であって、該録音再生装置のケーシング（１Ａ）をアクセサリー形状とし、該ケーシング（１Ａ）に外部から操作可能に録音スイッチ（３）と再生スイッチ（４）を配設し、前記ケーシング（１Ａ）に該ケーシング（１Ａ）を人や動物に脱着可能に取り付けるための取り付け具（２）を設けたことを特徴とするアクセサリー型録音再生装置。
【考案の詳細な説明】
【技術分野】
【０００１】
本考案は、迷子や愛玩動物、認知症の方などの行方不明対策のためのアクセサリー型録音再生装置に関する。
【背景技術】
【０００２】
近年、認知症または、その疑いで行方不明になった人の数が増大している。こうした中で今、認知症の人の行方不明対策の様々な商品が注目されている。
また、近年、録音再生装置の小型化が進み、様々な分野で、小型の録音再生装置を組み込んだ製品が開発されている。（例えば特許文献１，２参照）。
【先行技術文献】
【特許文献】
【０００３】
【特許文献１】実開平ー１７８号公報
【特許文献２】特許登録第３０５８２１５号公報
【考案の概要】
【考案が解決しようとする課題】
【０００４】
本考案は、迷子、愛玩動物、認知症の人の行方不明対策として好適な、子供と患者には安全を、保護者には安心を与えるアクセサリー型録音再生装置を提供することを目的とする。
【課題を解決するための手段】
【０００５】
上記目的を達成するため、本考案は、人や愛玩動物の連絡先の情報を録音し再生するための録音再生装置であって、該録音再生装置のケーシング（１Ａ）をアクセサリー形状とし、該ケーシング（１Ａ）に外部から操作可能に録音スイッチ（３）と再生スイッチ（４）を配設し、前記ケーシング（１Ａ）に該ケーシング（１Ａ）を人や動物に脱着可能に取り付けるための取り付け具（２）を設けたことを特徴とするアクセサリー型録音再生装置。ものである。
【考案の効果】
【０００６】
本考案は、認知症の方や、愛玩動物にアクセサリーとして身につけさせることで、本人や保護者の情報が必要な情況が生じたとき、正確にその情報を必要とする人に知らせることができるので、迷子や、認知症の方や愛玩動物の行方不明を防止することができる。
【図面の簡単な説明】
【０００７】
【図１】アクセサリー形状の録音再生装置の正面図である。
【図２】同上、背面図である。
【図３】ケーシングの表側カバーを取り外した状態のケーシングの内部を示す正面図である。
【図４】本装置の一部断面説明図である。
【考案を実施するための形態】
【０００８】
図１乃至４は、本考案の実施形態に係るアクセサリー型録音再生装置１を示す。装置１のケーシングＡは、プラスチックその他適宜の可撓性のある板材料で構成され、外観がブローチを形成している。ケーシング１Ａは、表側カバー１Ａａと裏側カバー１Ｂａとから成り、表側カバー１Ａａは表面板部１Ａｂと、該表面板部１Ａｂの周縁に該表面板部１Ａｂに対して直角に一体的に形成された筒状の側面板部１Ａｃとから構成され、裏側カバー１Ｂａは、裏面板部１Ｂｂと、該裏面板部１Ｂｂの周縁に、該裏面板部１Ｂｂに対して直角に一体的に形成された筒状の側面板部１Ｂｃとから構成されている。
【０００９】
ケーシング１Ａは、裏側カバー１Ａａの側面板部１Ａｃと裏側カバー１Ｂａの側面板部１Ｂｃとが、図４に示すように嵌合により結合して構成されている。これらカバー１Ａａ，１Ｂａは弾性のある薄い板材により構成され、これらは結合した状態において収納空間部１１を形成する。ブローチ型ケーシング１Ａの、その裏面側には、ケーシング１Ａを人が身につけた衣服に取り付けるための取り付け具２が設けられている。取り付け具２のピン２ａを、衣服に刺し、ピン２ａを係止部２ｂに係止させることで、ブローチ型ケーシング１Ａを人間の身に付けている衣服に着装することができる。
【００１０】
録音再生装置１は、ケーシング１Ａの収納空間部１１内に収納配置された、押しボタン式の録音スイッチ３及び再生スイッチ４、録音マイク５、スピーカー６及びこれらに接続された音声録音・再生用ＩＣ基板７及びリチウム電池８とから構成されている。ＩＣ基板７に取り付けられた録音スイッチ３及び再生スイッチ４の可動軸で構成される各押しボタン３ａ，４ａの上端は、図４に示すようにブローチ型ケーシング１Ａの表面側カバー１Ａａの表面板部１Ａｂの下面に近接又は、接触して対向配置されている。
【００１１】
録音再生装置１は、表面側カバー１Ａａの「ＲＥＣ」の表示のある録音入力エリア９を押し、該エリア９をエリア９の弾力に抗してへこまし、スイッチ３の押しボタン３ａを押してスイッチ３をＯＮとすることでマイク５を通じてＩＣ基板７のメモリに音声を録音することができる。本実施形態では、録音は最大２０秒間可能に構成されているが、特に録音可能時間は２０秒間に限定されるものではない。
【００１２】
この録音再生装置１に録音された、自分の名前や保護者の連絡先を覚えられない子供、認知症患者等の住所、氏名、電話番号などの連絡先の情報は、表面側カバー１Ａａの「ＰＬＡＹ」の表示のある再生出力エリア１０を手の指で押し、このエリア１０を指の押圧力でへこまして、ケーシング１Ａ内の再生スイッチ４の押しボタン４ａを押し、スイッチオンとすることでスピーカー６から聞くことができる。ケーシング１Ａの表面側カバー１Ａａには、外部から人の声がケーシング１Ａの内部の録音マイク５に良く届くように、また、ケーシング１Ａの内部からスピーカー６の音声が外部に良く通るように複数の小さな通気孔（図示省略）が形成されている。
【００１３】
上記実施形態では、ブローチ型ケーシング１Ａに小型の録音再生装置１を内蔵しているが、本考案は、特にこの実施例に限定されるものではなく、ブローチ型の形状のケーシング以外に、ブレスレット型その他のアクセサリー形状のケーシングでも良く、ケーシング１Ａの外観及びケーシング１Ａを身体に着装する取り付け具２は、図示する構成に特に限定されるものではない。また、ケーシング１Ａは、人以外に犬や猫などの愛玩動物に取り付けることができるようにしても良く、本考案は、人間の身体に着装するアクセサリーに特に限定されるものではなく、愛玩動物用として用いるようにしても良い。
【００１４】
ケーシング１Ａを愛玩動物に取り付ける場合には、ケーシング１Ａに、愛玩動物の首輪に取り付けるための取り付け具を設けるようにする。また、録音スイッチ３と再生スイッチ４は、可動ボタンを有する押しボタン式に特に限定されるものではなく、表面側カバー１Ａａの表面にタッチスイッチを設けたり、その他の種々の構成のスイッチを使用することができる。
【符号の説明】
【００１５】
１      録音再生装置
１Ａ    ケーシング
１Ａａ  表面側カバー
１Ｂａ  裏面側カバー
１Ａｂ  表面板部
１Ｂｂ  表面板部
１Ａｃ  側面板部
１Ｂｃ  側面板部
２      取り付け具
２ａ    ピン
２ｂ    係止部
３      録音スイッチ
４      再生スイッチ
５      マイク
６      スピーカー
７      音声録音・再生ＩＣ
８      電池
９      エリア
１０    エリア
１１    収納空間部
【図１】
0003195377.tif 000003
【図２】
0003195377.tif 000004
【図３】
0003195377.tif 000005
【図４】
0003195377.tif 000006